(57)【特許請求の範囲】
【請求項１】
被酸化性金属の酸化反応を利用した発熱部を有し、該発熱部と体表との間にシートを介在させて当接させた状態下に該発熱部から発生する水蒸気を供給するようになされており、生理痛の緩和に用いられる生理機能改善器具であって、
使用時に使用者の肌から遠い側に位置する第１の通気層と、使用者の肌に近い側に位置し、かつ前記シートとして用いられる第２の通気層とを有する両面通気性の収容体内に前記発熱部が収容されており、
前記被酸化性金属を前記発熱部の単位面積あたり０．１１〜０．１４ｇ／ｃｍ2用い、
室内温度２０℃、湿度４０％ＲＨの測定環境下、前記器具が当接された部位の皮膚における角層の水分量が、当接開始から０．５時間後において０．２５ｇ／ｃｍ3以上となり、且つこの水分量が当接開始から５時間後まで持続する水蒸気の供給能を有し、
生理開始日の少なくとも前日から、一日のうちの２〜１０時間にわたり、腹部及び／又は腰部に適用されて使用されるものである生理機能改善器具。
【請求項２】
室内温度２０℃、湿度４０％ＲＨの測定環境下、前記器具が当接された部位において、該器具と皮膚表面との間の湿度が、当接開始から０．５時間において５０％ＲＨ以上となり、且つこの湿度が当接開始から５時間後まで持続し、更に
室内温度２０℃、湿度４０％ＲＨの測定環境下、前記器具が当接された部位の皮膚における角層の水分量が、当接開始から０．５時間後において０．２５〜０．３９ｇ／ｃｍ3となり、且つこの水分量が当接開始から５時間後まで持続する水蒸気の供給能を有する請求項１記載の生理機能改善器具。
【請求項３】
前記器具が当接された部位の皮膚表面温度が、当接開始から１時間以内に３８℃以上４２℃未満となる水蒸気の供給能を有する請求項１又は２記載の生理機能改善器具。
【請求項４】
前記器具の発熱部と体表との間に介在させる前記シートは、該器具の発熱部への空気の供給量を制御する機能と、該器具から発生する熱及び水蒸気を体表に伝達する機能とを有し、該シートの総厚みが０．０５〜１．５ｍｍである請求項１ないし３の何れかに記載の生理機能改善器具。
【請求項５】
生理開始日の少なくとも前日から腹部及び／又は腰部に適用することで、生理開始日以降の生理痛が緩和される旨の表示が記載された指示書と共に包装の中に入れられている請求項１ないし４の何れかに記載の生理機能改善器具。
【請求項６】
生理開始日の少なくとも前日から腹部及び／又は腰部に適用することで、生理開始日以降の生理痛が緩和される旨の表示が記載された包装の中にいられている請求項１ないし４の何れかに記載の生理機能改善器具。
【請求項７】
生理開始日の少なくとも前日から腹部及び／又は腰部に適用することで、生理開始日以降の生理痛が緩和される旨の表示が記載されている請求項１ないし４の何れかに記載の人体等の生理機能改善器具。
【発明の詳細な説明】
【技術分野】
【０００１】
本発明は、水蒸気を利用した生理機能改善具に関する。
【背景技術】
【０００２】
ライフスタイルの変化に伴い、健康に対する社会全体の流れがセルフメディケーション化に傾いている。また  それに伴ってデイリーヘルスケアの気運が高まっている。成人の共通した健康上の悩みとしては、腰痛、肩痛、冷え性、かすみ目、生理痛、関節痛などがある。今後、これらの症状を日々の家庭生活の中で緩和ないし治療すること、或いは予防することが一般的になると予想される。例えば腰痛等の緩和のために、被酸化性金属を含む発熱体（いわゆる使い捨てカイロ）を腰部等に装着して当該部位を温める温熱療法が知られているが、このような温熱療法は個人レベルでますます盛んになると予想される。
【０００３】
ところで本出願人は先に、目及び目の周囲に水蒸気を供給する、アイマスク様形状の視力改善治療具やマイボーム腺機能改善治療具を提案した（特許文献１及び２参照）。これらの治療具は、目及び目の周囲に、侵害刺激にならない温度以下の水蒸気を供給することで、調節筋の弛緩を回復、向上させ、視力を向上させたり、マイボーム腺の機能を改善させたりするものである。これらの治療具は、目及び目の周囲に適用することを目的としているので、水蒸気の適用時間は、侵害刺激にならない程度の短時間であり、高々数十分程度である。これらの治療具によれば、視力の改善やマイボーム腺機能の改善が図られる。しかし前記の各特許文献には、これらの治療具によって、その他の生理機能が改善されるか否かについては記載されていない。
【０００４】
これらの治療具とは別に、本出願人は、皮膚や粘膜に水蒸気を供給する水蒸気発生体を提案した（特許文献３参照）。この水蒸気発生体においては、該発生体と、皮膚や粘膜等の適用部位との距離を５ｍｍ以上となるようにしている。しかし、この適用方法では多量の蒸気を必要とするために、蒸気温熱を長時間発生することが容易でない。
【０００５】
【特許文献１】特開２００２−６５７１４号公報
【特許文献２】特開２００２−７８７２７号公報
【特許文献３】特開２００２−７８７２８号公報
【発明の開示】
【発明が解決しようとする課題】
【０００６】
従って本発明の目的は、人体等の種々の生理機能を改善し得る生理機能改善器具を提供することにある。
【課題を解決するための手段】
【０００７】
本発明は、化学エネルギーを利用した発熱部を有し、該発熱部と体表との間にシートを介在させて当接させた状態下に該発熱部から発生する水蒸気を供給するようになされている人体等の生理機能改善器具であって、
室内温度２０℃、湿度４０％ＲＨの測定環境下、前記器具が当接された部位の皮膚における角層の水分量が、当接開始から０．５時間後において０．２５ｇ／ｃｍ3以上となり、且つこの水分量が当接開始から５時間後まで持続する水蒸気の供給能を有する人体等の生理機能改善具を提供することにより前記目的を達成したものである。
【発明の効果】
【０００８】
本発明の生理機能改善器具を人体等に装着させると、水蒸気の凝縮熱が皮膚に深く且つ広く伝播されやすくなり、適用部位の表面温度のみならず、適用部位の周辺や適用部位の深部温度を高めることができる。その結果、筋肉が弛緩し、また血管が拡張して全身の血流量が増加する。それによって、発痛物質が血液によって除去され痛みが解消される。また血液による熱の伝播が活発になり、指先などの末梢温度も上昇する。従って、本発明の生理機能改善器具は、血行促進、筋肉の疲れを取る、筋肉の凝りや筋肉痛の緩和、冷え性の緩和、神経痛の緩和などの効能を有する。また、腰部に適用することで腰痛が緩和ないし解消され、腹部に適用することで腹痛が緩和ないし解消されるという効能もある。更に、腰部及び／又は腹部に適用することで胃腸の働きが改善され、また疲労が回復するという効能もある。更に生理痛を緩和する効能もある。
【発明を実施するための最良の形態】
【０００９】
本発明の生理機能改善器具は、特に人体の体表に適用される。適用部位に特に制限はなく、腰部、腹部、頸部、肩部や、各所の関節など所望の部位に適用し得る。生理機能改善器具は、体表に当接して適用される。当接して適用とは、水蒸気の透過が可能なスペーサー機能を兼ねたシートや、固定具を兼ねたシートを介して生理機能改善器具を体表へ接触させ適用することをいう。
【００１０】
本発明の生理機能改善器具は、化学エネルギーを利用した発熱部を有しており、該発生部から生じた水蒸気（所定温度に加熱された蒸気）を体表に適用する点に特徴を有している。従って、発熱部は、水蒸気発生部ともいえる。特に、生理機能改善器具は、所定温度に加熱された水蒸気発生の持続時間が長いことによって特徴付けられるものである。以下の説明においては、体表に適用される水蒸気を伴う熱を湿熱という。また湿熱との対比で、体表に適用される水蒸気を伴わない熱、例えば市販の使い捨てカイロから発生する熱を乾熱という。
【００１１】
図１（ａ）には、本発明の生理機能改善器具を体表に適用した状態が模式的に示されている。生理機能改善器具から発生した水蒸気は、該器具と皮膚との間の空間を移動して（物質移動）、皮膚に到達し熱を伝える（接触伝熱）。皮膚に到達した水蒸気は凝縮水となり、そのときに発生する熱（凝縮熱）が皮膚に伝播される。このように、湿熱を利用した本発明の生理機能改善器具によれば、高い伝熱効率で皮膚に熱を伝えることができる。
【００１２】
図１（ｂ）には、図１（ａ）との対比で、乾熱の場合の熱の伝わり方が模式的に示されている。乾熱、即ち市販の使い捨てカイロを用いた熱の伝わり方は、空気の分子への熱拡散による伝熱である。従って、乾熱では伝熱効率が低く、十分な熱が皮膚に伝播されない。
【００１３】
本発明において利用し得る化学エネルギーとしては、被酸化性金属の酸化反応により生じる酸化熱、酸とアルカリの中和熱、無機塩類（塩化カルシウム、塩化マグネシウム、酸化カルシウム、酸化マグネシウム、ゼオライト等）の水和熱などが挙げられる。これらのうち、取り扱い性が良好であることや、発熱量が比較的大きいこと、携帯やコンパクト化が容易であることから、被酸化性金属の酸化反応により生じる酸化熱を用いることが好ましい。
【００１４】
化学エネルギーを利用した発熱部の具体的な構成は、化学エネルギーの種類に応じて適宜定められる。例えば被酸化性金属の酸化反応により生じる酸化熱を用いる場合には、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した水蒸気発生組成物から構成される。この組成物には、更に保水剤（例えば、バーミキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させる。
【００１５】
本発明の生理機能改善器具は化学エネルギーを利用した発熱部を有し、該発熱部と体表との間にシートを介在させて該器具を当接させた状態下に該発熱部から発生する水蒸気（所定温度に加熱された水蒸気）を供給するようになされている人体等の生理機能改善器具である。該器具は、その適用部位の皮膚における角層の水分量を通常の状態よりも高めるものである点に特徴を有する。本発明の生理機能改善器具は、室内温度２０℃、湿度４０％ＲＨの測定環境下、該器具が当接された部位の皮膚における角層の水分量が、当接開始から０．５時間後において０．２５ｇ／ｃｍ3以上となり、且つこの水分量が当接開始から５時間後まで持続する水蒸気の供給能を有している。なお、以下の説明において角層の水分量というときには、室内温度２０℃、湿度４０％ＲＨの測定環境下における値をいう。このような水蒸気の発生能を有する生理機能改善器具を体表に適用することで、人体の各種生理機能が顕著に改善される。
【００１６】
本発明の器具を適用することによる生理機能の改善効果としては、例えば血行促進、筋肉の疲れを取る、筋肉の凝りや筋肉痛の緩和、冷え性の緩和、神経痛の緩和などがある。また腹痛や腰痛の緩和ないし解消、胃腸の働きの改善、また疲労の回復などがある。更に、女性の場合、生理痛の緩和がある。特に生理痛の緩和に関しては、意外にも、本発明の生理機能改善器具を、生理開始日の少なくとも前日から腹部及び／又は腰部に、一日のうちの所定時間（例えば２〜１０時間）適用すると、生理開始後に同器具を適用した場合に比較して、生理痛の緩和効果が顕著に高まることが、本発明者らによって見出された。
【００１７】
先に述べた角層の水分量は、角層の熱伝導度に影響を及ぼす。皮膚の断面構造において最も表面に位置する角層は、その下に位置する表皮や真皮に比較して水分量が少なく、その結果、熱伝導度が低いことが知られている。このような状態にある角層に対して、本発明の生理機能改善器具を用いて湿熱を付与することで、角層が湿潤状態になり、その水分量が増加する。その結果、角層の熱伝導度が高まる。このことと、先に述べた湿熱による水蒸気の接触伝熱（図１（ａ）参照）との相乗作用によって、本発明によれば熱が皮膚に深く且つ広く伝播される。
【００１８】
前記の特徴を有する本発明の生理機能改善器具によって人体の各部位、例えば腰部や肩を温めると、同温度の乾熱で温めた場合に比べて全身の血行が促進され、末梢温度が上昇することが確認されている。また加温をやめた後も数十分に亘り温度の上昇が持続することも確認されている。この理由は、先に述べた通り、湿熱は乾熱よりも熱の伝導が速いので、人体の深部の温度を一層高め得るからである。人体の深部の温度が高くなることで、自律神経を介して温熱中枢が刺激され、それによって血管が拡張して血流が増加し、また末梢温度が上昇する。従って本発明の生理機能改善器具は、これを適用した人体の部位の温度上昇や血行の改善のみならず、体全体の血行の改善や、指先等の末梢温度の上昇、冷え性の改善がみられる。また、湿熱は伝熱を効果的に行えるため、発熱部の温度が低い状態でも多くの熱を皮下深部に伝えることができる。よって市販のカイロで問題となっている低温やけどのリスクを低減させる効果がある。
【００１９】
本発明の生理機能改善器具を用いると伝熱効率が高まることは、熱伝導率を測定することで裏付けられる。しかし、本発明の生理機能改善器具を実際に人体に適用し、その状態下に熱伝導率を実測することは難しい。そこで本発明においてはモデル測定系を作製し、その測定系を用いて熱伝導率を測定する。
【００２０】
図２には、ＪＩＳ  Ｓ４１００を参考にしたモデル測定系を用いた熱伝導率の測定方法が示されている。モデル測定系１００は、熱浴１０１上にポリプロピレン製の板１０２（厚さ７ｍｍ）を載置し、その上を八枚重ねのネル織布１０４（綿１００％  テックス番手５．９０５双糸のネル）で覆ったものから構成される。熱浴１０１は人体に相当するものであり、その体表面温度すなわち熱浴の表面温度が、体温としての一般的な値である３６．０℃に維持されている。生理機能改善器具１は、板１０２とネル織布１０４との間に配され、温度及び熱伝導率が測定される。ここでいう熱伝導率は、生理機能改善器具１の発熱部から、体表と定義した熱浴１０１の表面までの熱伝導率である。枠体１０５を、生理機能改善器具１を取り囲むようにネル織布１０４上に載置し、ネル織布１０４と板１０２との間に空隙が生じないように生理機能改善器具１を固定する。熱流板１０６を、生理機能改善器具１の真下の位置において、熱浴１０１と板１０２との間に配置する。熱流板１０６は熱流束を測定するためのセンサである。熱流板１０６とは別に、熱電対１０７を、生理機能改善器具１と板１０２との間に配置する。熱電対１０７は、生理機能改善器具１の発熱温度を測定するためのセンサである。
【００２１】
図２に示すモデル測定系１００を用いた熱伝導率の測定においては、熱流板１０６及び熱電対１０７から得られた信号（電圧）をパーソナルコンピュータで処理し、生理機能改善器具１の熱流束及び発熱温度を測定・記録した。パーソナルコンピュータによる処理は、市販のソフトウエアを用いて行った。
【００２２】
生理機能改善器具１は、発熱部で発生する水蒸気の放出可能部位が体表に対向するように人体に装着されて使用される。したがってモデル測定系においても水蒸気放出可能部位が熱浴１０１に対向するように装着され計測される。
【００２３】
このモデル測定系において湿熱及び乾熱の熱浴１０１までの熱伝導率の比較を行った。生理機能改善器具１をモデル測定系の板１０２に当接させた状態下で、該器具１における発熱部から熱浴１０１への熱伝導率を測定した。適用１時間後の熱伝導率は、湿熱及び乾熱それぞれにおける発熱体の温度が同じであるのに対して、熱伝導率は以下の通りとなった。
・湿熱  ０．０４６Ｗ／ｍ・℃
・乾熱  ０．０３９Ｗ／ｍ・℃
更に、適用２時間後の熱伝導率は以下の通りとなった。
・湿熱  ０．０４８Ｗ／ｍ・℃
・乾熱  ０．０３２Ｗ／ｍ・℃
これらの結果から、湿熱の熱伝導率が乾熱に比べて有意に高いことが確認された。このモデル系の測定結果から、本発明の生理機能改善器具１から人体への伝熱率が水蒸気によって一層高まり、生理機能の改善が一層顕著なものとなると考察される。
【００２４】
以上の結果から、本発明の生理機能改善器具１は、これをモデル測定系の板１０２に当接させた状態下で、該生理機能改善器具１の発熱部から熱浴１０１への熱伝導度が０．０４〜０．０６Ｗ／ｍ・℃、特に０．０４５〜０．０５５Ｗ／ｍ・℃となる水蒸気の発生能を有していることも好ましい。
【００２５】
乾熱、即ち空気の熱伝導度が０．０９６ｋＪ／ｍ・ｈｒ・℃（４０℃）であり、水の熱伝導度が２．４０ｋＪ／ｍ・ｈｒ・℃（６０℃）であることを考えると、湿熱を利用した本発明の生理機能改善器具の熱伝導率が極めて高いことが容易に理解される。
【００２６】
本発明において角層の水分量は、時間領域反射法（Time Domain Reflectometry、以下ＴＤＲ法という）によって測定される。ＴＤＲ法においては、プローブの先端を皮膚に接触させ、該プローブから１０ＧＨｚのマイクロ波を皮膚に当てる。このマイクロ波の反射波をプローブで検知する。反射波は、皮膚内の誘電特性、つまり水分子の配向状態によって相違するので、反射波を検知することで皮膚の含水状態を調べることができる。ＴＤＲ法においては、プローブの径に応じて測定深さが異なる。径が大きいほど皮膚深部の水分率を測定することができる。本発明においては東光電子株式会社製のＴＤＲプローブＡ（外径０．７ｍｍ）を用いて表面から２０μｍまでの深さの水分量を測定する。プローブを接続する計測機器としては、HEWLETT PACKARD社製の54750A Digitizing oscilloscope（商品名）を用いた。
【００２７】
先に述べた通り、本発明の生理機能改善器具は、器具が当接された部位の皮膚における角層の水分量が、当接開始から０．５時間後において０．２５ｇ／ｃｍ3以上となり、且つこの水分量が当接開始から５時間後まで持続する水蒸気の供給能を有する。好ましくは当接開始から０．５時間後において０．２５〜０．３９ｇ／ｃｍ3となり、且つこの水分量が当接開始から５時間後まで持続する水蒸気の供給能を有する。角層の水分量の上限値に特に制限はなく高いほど好ましいが、理論的には人体の皮下組織の水分量である約０．７０ｇ／ｃｍ3が上限値と考えられる。なお、本発明にいう「生理機能改善器具の当接開始」とは、該器具を発熱可能な状態下において直ちに皮膚に当接させた時点をいう。従って、該器具の発熱が始まってから所定時間経過後に該器具を皮膚に当接させて水分量を測定することは、本発明にいう「生理機能改善器具の当接開始」に該当しない。
【００２８】
角層の水分量を高めるためには、本発明の生理機能改善器具を皮膚に当接させた状態において両者間に形成される空間が十分に湿潤していることが有利である。この観点から、本発明の生理機能改善器具は、測定室内環境２０℃にて、該器具が当接された部位において、該器具と皮膚表面との間の湿度が、当接開始から０．５時間において５０％ＲＨ以上となり、且つこの湿度が当接開始から５時間後まで持続する水蒸気発生能を有していることが好ましい。更に好ましくは前記の湿度は６０％ＲＨ以上であり、一層好ましくは７０％ＲＨ以上である。この湿度の値は高ければ高いほど好ましい（従って湿度の上限値は理想的には１００％ＲＨとなる）。なお、以下の説明において生理機能改善器具と皮膚表面との間の湿度というときには、室内温度２０℃、湿度４０％ＲＨの測定環境下における値をいう。
【００２９】
更に、生理機能の改善効果と人体への安全性及び使用時の心地よさを考慮すると、本発明の生理機能改善器具は、該器具が当接された部位の皮膚表面温度が、該器具の当接開始から１時間以内に３８℃以上４２℃未満となる水蒸気の発生能と発熱能を有していることが好ましい。
【００３０】
生理機能を効果的に改善させる観点から、本発明の生理機能改善器具は、水蒸気発生の持続時間が長いことが好ましい。具体的には、生理機能改善器具は、自律神経を副交感神経優位にすることで生理機能を改善する観点から、水蒸気の発生能を好ましくは２時間以上、更に好ましくは２〜１２時間、一層好ましくは３〜６時間有する。これに加えて、本発明の生理機能改善器具を体表に当接させた状態下で２〜１２時間、特に３〜６時間にわたり、皮膚表面温度を３８℃以上４２℃未満、特に３８℃以上４１℃未満に維持し得る水蒸気の発生能と発熱能を有していることが好ましい。
【００３１】
皮膚表面温度の測定は、以下の方法にて行った。測定環境は、２０℃４０％ＲＨとした。この環境下に、被験者に測定機器を装着し３０分間安静にさせた。皮膚表面温度は、被験者の腰部に装着した生理機能改善器具における発熱体直下の位置で測定した。皮膚表面温度（発熱体直下）は体温モニター（コアテンプＣＭ−２１０：テルモ株式会社製、体表温度プローブ：ＰＤＫ１６１、深部温度プローブ：ＰＤ１）を用いて測定した。
【００３２】
次に、本発明の生理機能改善器具の好ましい実施形態を、図面を参照しながら説明する。図３には本発明の生理機能改善器具の一実施形態としての蒸気温熱シート１が示されている。図４は図３におけるIII−III線断面図である。図３に示す蒸気温熱シート１は扁平な矩形状であり、発熱部２及び該発熱部２を収容する収容体３を備えている。収容体３は扁平な袋状のものであり、複数のシート材の周縁を貼り合わせて、内部が空洞の袋状となされている。収容体３は少なくともその一部が透湿性を有する通気性部位となっている。
【００３３】
発熱部２が被酸化性金属の酸化反応を利用したものである場合、該発熱部２は、被酸化性金属、反応促進剤、電解質及び水を含む発熱粉体又は発熱シートからなる。尚、発熱シートは温度分布を均一化する事が容易であり、また、粉体担持能力が優れているため、人体が動いても発熱体が移動せず、低温やけどを防止出来るため、発熱粉体よりも好ましい。発熱部２が空気と接触すると、該発熱部２に含まれている被酸化性金属の酸化反応が起こり、熱が発生する。この熱によって発熱部２に含まれている水が加熱されて所定温度の水蒸気となり、収容体３を通じて外部へ放出される。ここで、発熱シートは、抄紙からなるものや、発熱粉体を紙等で挟持してなる積層体等が挙げられる。体への密着性、水蒸気を均一に発生させる観点から抄紙がより好ましい。
【００３４】
発熱部２が発熱粉体からなる場合には、発熱粉体は被酸化性金属、反応促進剤、保水剤、電解質及び水を含んで構成されていることが好ましい。本発明者らが検討したところ、これらの各種材料のうち、前述した蒸気温熱シート１の水蒸気発生能に大きく影響する材料は、被酸化性金属、反応促進剤及び保水剤であることが判明した。詳細には、発熱粉体に含まれる被酸化性金属の量が好ましくは２０〜５０重量％、更に好ましくは２５〜４０重量％、反応促進剤の量が好ましくは３〜２５重量％、更に好ましくは５〜２０重量％、保水剤の量が３〜２５重量％、更に好ましくは５〜２０重量％であることが重要である。これらの材料の量が前述の範囲にあると、所望の水蒸気発生能が期待できる。更に、発熱粉体に含まれる電解質の量が０．３〜１０重量％、更に好ましくは０．５〜５重量％で、水の量が２０〜７０重量％、更に好ましくは３０〜６０重量％であることも、所望の水蒸気発生能を発言させるために重要である。
【００３５】
一方、発熱部２が発熱シートからなる場合には、発熱シートは被酸化性金属、反応促進剤、繊維状物、電解質及び水を含む繊維シートから構成されていることが好ましい。つまり、発熱シートは、被酸化性金属、反応促進剤、繊維状物及び電解質を含む繊維シートが含水状態となっているものであることが好ましい。特に、発熱シートは、被酸化性金属、反応促進剤及び繊維状物を含有する成形シートに、電解質水溶液を含有させて構成されていることが好ましい。
【００３６】
本発明者らが検討したところ、発熱部２が発熱シートからなる場合には、蒸気温熱シート１の水蒸気発生能に大きく影響する材料は、成形シートに含まれる被酸化性金属、反応促進剤及び繊維状物であることが判明した。詳細には、成形シートに含まれる被酸化性金属の量が好ましくは６０〜９０重量％、更に好ましくは７０〜８５重量％、反応促進剤の量が好ましくは５〜２５重量％、更に好ましくは８〜１５重量％、繊維状物の量が好ましくは５〜３５重量％、更に好ましくは８〜２０重量％であることが重要である。これらの材料の量が前述の範囲にあると、所望の水蒸気発生能が期待できる。
【００３７】
蒸気温熱シート１の水蒸気発生能に影響する他の重要な要因としては、発熱シートにおける電解質水溶液の濃度及び電解質水溶液の添加量が挙げられる。詳細には、発熱シートにおける電解質水溶液の濃度は好ましくは１〜１５重量％、更に好ましくは２〜１０重量％である。電解質水溶液の濃度が１重量％未満であると所望とする温度が得られない場合がある。１５重量％超となると顕著な効果の向上は期待できない。また電解質水溶液は、成形シート１００重量部に対して好ましくは４０〜８０重量部、更に好ましくは４５〜６５重量部添加される。添加量が４０重量部未満では所望とする温度の持続が達成されない場合がある。また所望とする蒸気発生量が得られない場合もある。８０重量部超では、所望とする温度が得られない場合がある。
【００３８】
発熱部２が発熱粉体からなるか、或いは発熱シートからなるかを問わず、蒸気温熱シート１の水蒸気発生能に影響する他の大きな要因として、収容体３の透湿度（ＪＩＳ  Ｚ０２０８、４０℃、９０％ＲＨ、以下透湿度というときにはこの方法で測定された値をいう）が挙げられる。発熱部２として前述の各成分を前述の配合量で含有したものを用い、且つ収容体３として以下に述べる透湿度を有するものを用いることで、蒸気温熱シート１の水蒸気発生能を所望のものとすることができる。詳細には、収容体３のうち、通気性を有する部分の透湿度を好ましくは３００〜２０００ｇ／（ｍ2・２４ｈｒ）、更に好ましくは６００〜１０００ｇ／（ｍ2・２４ｈｒ）とする。通気性を有する部分の透湿度が３００ｇ／（ｍ2・２４ｈｒ）未満であると、所望とする蒸気放出量が達成されない場合がある。２０００ｇ／（ｍ2・２４ｈｒ）超であると、所望とする温度の持続時間が達成できない場合がある。
【００３９】
水蒸気の適切な温度制御及び所望とする温度での水蒸気の発生持続時間を得る観点から、収容体３はその通気性を有する部分の通気度（ＪＩＳ  Ｐ８１１７、以下通気度というときにはこの方法で測定された値をいう）が８０００〜１５０００ｓ／１００ｃｍ3であることが好ましく、９０００〜１２０００ｓ／１００ｃｍ3であることが更に好ましい。
【００４０】
図３及び図４に示すように、本実施形態の蒸気温熱シート１においては、収容体３は、透湿性フィルム３ａと難透湿性フィルム３ｂとの周縁が互いに接合されて扁平な袋状に形成されている。つまり収容体３の一方の側が透湿性フィルム３ａを有しており、他方の側が難透湿性フィルム３ｂを有している。透湿性フィルム３ａは、発熱シート２から発生した水蒸気を通過させる。しかし難透湿性フィルム３ｂは水蒸気を通過させにくい。つまり水蒸気は収容体３の一方の側、即ち透湿性フィルム３ａの側から多量の水蒸気が外部へ放出される。透湿性フィルム３ａの透湿度及び通気度は、前述した範囲となっている。これによって蒸気温熱シート１はその水蒸気発生能が前述した所望のものとなる。
【００４１】
透湿性フィルム３ａとしては、水蒸気は透過させるが水は透過させにくいフィルムが用いられる。そのようなフィルムとしては、例えば微細孔を有するポリオレフィン系フィルムなどが挙げられる。このようなフィルムは例えば使い捨ておむつや生理用ナプキンなどのサニタリー製品における透湿性バックシートとして良く知られたものである。なお前述した通り水蒸気は透湿性フィルム３ａを通じて外部へ放出されることから、本実施形態の蒸気温熱シート１は、透湿性フィルム３ａの側が人体と対向するように装着される。そこで装着感を高める観点から、図３及び図４に示すように、透湿性フィルム３ａの外面には風合いの良好なシート材料であるエアスルー不織布等の不織布３ｃが配されている。従って、蒸気温熱シート１の使用時には不織布３ｃが身体に対向することになる。
【００４２】
先に述べた通り、本実施形態の蒸気温熱シート１は、発熱部２と体表との間にシートを介在させて、該蒸気温熱シート１を体表に当接させた状態下に水蒸気を供給する。本実施形態において、このシートに相当する部材は、透湿性フィルム３ａ及び不織布３ｃである。これらの部材は、蒸気温熱シート１の発熱部２への空気の供給量を制御する機能と、蒸気温熱シート１で発生した熱及び水蒸気を体表に伝達する機能を有している。本実施形態においては、透湿性フィルム３ａ及び不織布３ｃの総厚みを０．０５〜１．５ｍｍとすることが、空気の安定供給及び熱の皮膚（体表）への効率的な伝播の点から好ましい。総厚みがこの範囲内に入ることを条件として、透湿性フィルム３ａの厚みは０．０１〜０．１ｍｍであることが好ましく、不織布３ｃの厚みは０．０３〜０．５ｍｍであることが好ましい。
【００４３】
一方、難透湿性フィルム３ｂとしては、水蒸気も水も透過させにくいフィルム、例えば微細孔を有しないポリオレフィン系フィルムやポリエステル系フィルムなどが用いられる。なお図４に示すように、難透湿フィルム３ｂの外面には、蒸気温熱シート１の風合いを向上させる目的で、エアスルー不織布等の不織布３ｄがラミネートされている。
【００４４】
発熱部２が発熱粉体からなる場合には、該発熱粉体に含まれる各材料の詳細について説明すると、被酸化性金属としては例えば、鉄、アルミニウム、亜鉛、マンガン、マグネシウム、カルシウム等の粉末や繊維が挙げられる。これらの中でも取り扱い性、安全性、製造コストの点から鉄粉が好ましく用いられる。被酸化性金属が粉末である場合その粒径は０．１〜３００μｍであることが、繊維状物への定着性、反応のコントロールが良好なことから好ましい。同様の理由により、粒径が０．１〜１５０μｍものを５０重量％以上含有するものを用いることも好ましい。
【００４５】
反応促進剤としては、水分保持剤として作用する他に、被酸化性金属への酸素保持／供給剤としての機能も有しているものを用いることが好ましい。例えば活性炭（椰子殻炭、木炭粉、暦青炭、泥炭、亜炭）、カーボンブラック、アセチレンブラック、黒鉛、ゼオライト、パーライト、シリカ等が挙げられる。これらの中でも保水能、酸素供給能、触媒能を有する点から活性炭が好ましく用いられる。反応促進剤の粒径は０．１〜５００μｍであることが、被酸化性金属と効果的に接触し得る点から好ましい。同様の理由により、０．１〜２００μｍのものを５０重量％以上含有するものを用いることも好ましい。
【００４６】
保水剤としては、繊維状物質、吸水性ポリマー、バーミキュライト、ケイ酸カルシウム、シリカゲル、アルミナ等が挙げられる。これらの中でも、保持性が高く、また生産性に優れる点から吸水性ポリマーを用いることが好ましい。
【００４７】
前記繊維状物としては、天然又は合成の繊維状物を特に制限無く用いることができる。天然繊維状物としては、例えばコットン、カボック、木材パルプ、非木材パルプ、落花生たんぱく繊維、とうもろこしたんぱく繊維、大豆たんぱく繊維、マンナン繊維、ゴム繊維、麻、マニラ麻、サイザル麻、ニュージーランド麻、羅布麻、椰子、いぐさ、麦わら等の植物繊維が挙げられる。また羊毛、やぎ毛、モヘア、カシミア、アルカパ、アンゴラ、キャメル、ビキューナ、シルク、羽毛、ダウン、フェザー、アルギン繊維、キチン繊維、ガゼイン繊維等の動物繊維が挙げられる。更に、石綿等の鉱物繊維が挙げられる。一方、合成繊維状物としては、例えばレーヨン、ビスコースレーヨン、キュプラ、ビスコースレーヨン、キュプラ、アセテート、トリアセテート、酸化アセテート、プロミックス、塩化ゴム、等の半合成繊維が挙げられる。またナイロン、アラミド、ポリビニルアルコール、ポリ塩化ビニル、ポリ塩化ビニリデン、ポリエチレンテレフタレート等のポリエステル、ポリアクリロニトリル、アクリル、ポリエチレン、ポリエチレン、ポリプロピレン、ポリスチレン、ポリウレタン等の合成高分子繊維が挙げられる。これらの中でも、被酸化性金属や反応促進剤との定着性、発熱シート２の柔軟性、酸素透過性、製造コスト等の点から、木材パルプ、コットン、ポリエチレン繊維、ポリエステル繊維が好ましく用いられる。繊維状物はその平均繊維長が０．１〜５０ｍｍ、特に０．２〜２０ｍｍであることが、発熱シートの強度確保及び繊維状物の水分散性の点から好ましい。
【００４８】
電解質としては、例えばアルカリ金属、アルカリ土類金属又は遷移金属の硫酸塩、炭酸塩、塩化物又は水酸化物等が挙げられる。これらの中でも、導電性、化学的安定性、生産コストに優れる点からアルカリ金属、アルカリ土類金属又は遷移金属の塩化物が好ましく用いられ、特に塩化ナトリウム、塩化カリウム、塩化カルシウム、塩化マグネシウム、塩化第一鉄、塩化第二鉄が好ましく用いられる。
【００４９】
発熱体２が発熱シートである場合、該発熱シートの製造方法に特に制限はない。先に述べた通り、発熱シートは、被酸化性金属、反応促進剤及び繊維状物を含有する成形シートに、電解質水溶液を含有させてなるものであるから、先ず被酸化性金属、反応促進剤及び繊維状物を含む成形シートを形成し、この成形シートに電解質水溶液を添加することで発熱シートが得られる。成形シートの製造には例えば本出願人の先の出願に係る特開２００３−１０２７６１号公報に記載の湿式抄造法や、ダイコーターを用いたエクストルージョン法を用いることができる。特に、製造コストや生産性の点から湿式抄造法を用いることが好ましい。湿式抄造法を行う場合には、円網抄紙機、長網抄紙機、短網抄紙機、ツインワイヤー抄紙機などを用いることができる。抄造に用いられるスラリーは、被酸化性金属、反応促進剤、繊維状物及び水を含むものであり、その濃度は、０．０５〜１５重量％、特に５〜１２重量％であることが好ましい。
【００５０】
成形シート（つまり含水前の状態の発熱シート）はその１枚の厚みが０．１ｍｍ〜２ｍｍ、特に０．１５〜１．５ｍｍであることが、成形シートの機械的強度を維持しつつ成形シートが柔軟になり、蒸気温熱シート１が身体の適用部位へフィットしやすくなる点から好ましい。また、発熱分布が均一になることから好ましい。更に、この範囲の厚みとすることで、蒸気温熱シート１を身体に適用した場合に、着衣の外側から該蒸気温熱シート１が目立たちにくくなる。同様の理由により成形シートは、その坪量が１０〜１０００ｇ／ｍ2であることが好ましく、５０〜６００ｇ／ｍ2であることがより好ましく、１００〜５００ｇ／ｍ2であることが更に好ましい。
【００５１】
成形シートは、そのままの状態で複数枚を重ねて使用してもよく、或いは１枚のシートを折りたたみ、折り畳まれた複数枚の成形シートを重ねて使用してもよい。湿熱シート１の面積に対する成形シートの重量比は、所望の温度持続が達成でき、フィット性が良好で、また製造上の問題が起こりにくい点から、好ましくは０．０３ｇ／ｃｍ2〜０．１７ｇ／ｃｍ2であり、更に好ましくは０．０６ｇ／ｃｍ2〜０．１４ｇ／ｃｍ2である。同様の理由により、被酸化性金属の単位面積あたりの重量の比は好ましくは０．０２ｇ／ｃｍ2〜０．１４ｇ／ｃｍ2であり、更に好ましくは０．０４ｇ／ｃｍ2〜０．１２ｇ／ｃｍ2である。
【００５２】
成形シートに電解質水溶液を含有させて発熱シートを得る。この工程は、窒素、アルゴン等の不活性ガス雰囲気下で行うことが好ましい。電解質水溶液を含有させるには例えば、スプレー塗工法、刷毛等で塗工する方法、電解質水溶液に浸漬する方法、グラビアコート法、リバースコート法、ドクターブレード法等が挙げられる。電解質水溶液における電解質の濃度及び電解質の水溶液の付与量は、得られる発熱シートにおける電解質の量及び水の含有量が、先に述べた範囲となるように調整される。
【００５３】
発熱部２が発熱粉体であるか、或いは発熱シートであるかを問わず、発熱部２は、収容体３内に収納される。これによって蒸気温熱シート１が得られる。蒸気温熱シート１は酸素バリア性の材料からなる包装袋内に密封されて、最終製品である湿熱シート入り包装袋となされることが好ましい。蒸気温熱シート１の使用に際しては、包装袋から該蒸気温熱シート１を取り出すことで、該蒸気温熱シート１に含まれる被酸化性金属が空気中の酸素と反応し、発熱が始まると共に水蒸気が発生する。酸素バリア性の材料としては、例えばその酸素透過係数（ＡＳＴＭ  Ｄ３９８５）が１０ｃｍ3・ｍｍ／（ｍ2・ｄ・ＭＰａ）以下、特に２ｃｍ3・ｍｍ／（ｍ2・ｄ・ＭＰａ）以下であるようなものが好ましい。具体的にはエチレン−ビニルアルコール共重合体やポリアクリロニトリル等が挙げられる。
【００５４】
蒸気温熱シート１を包装する包装袋には、該蒸気温熱シート１が、人体の生理機能の改善のために用いられるものである旨の表示が付されていることが好ましい。例えば、身体の任意の部位に適用することにより、当該部位の深部温度が上昇し血流量が増加して血行が促進される旨の表示や、末梢温度が上昇して冷え性や神経痛の緩和が緩和される旨の表示を付すことができる。更に、生理開始日の少なくとも前日から腹部及び／又は腰部に適用することで、生理開始日以降の生理痛が緩和される旨の表示を付すこともできる。これによって、消費者に対して、従来知られていた一般の使い捨てカイロでは達成し得なかった生理機能の改善効果が、本発明によって達成されることを知らせることができる。従って消費者は、本発明の改良された性能の十分な価値を容易に認識することになる。前記の表示には、文字はもちろんのこと、記号や図形等、本発明の改良された性能を消費者に伝え得るあらゆる情報手段が含まれる。また前記の表示には、本発明が、他の製品に比して優れている旨の情報を含めることができる。更に、前記の表示を包装袋に付すことに加えて、又はそれに代えて、当該表示を含む指示書を、蒸気温熱シート１と共に包装袋の中に入れてもよい。或いは、蒸気温熱シート１そのものに、当該表示を付してもよい。
【００５５】
本実施形態の蒸気温熱シート１は、これを例えば図５（ａ）及び（ｂ）に示すようなベルト状の保持具に保持させ、該保持具を人体に固定することによって、該蒸気温熱シート１を人体に適用することができる。図５（ａ）及び（ｂ）に示す保持具１０は、蒸気温熱シート１の収容保持が可能な矩形状の収容部１２を中央に有し、その両側からそれぞれ延出した一対の腕部である第１腕部１３ａ及び第２腕部１３ｂを備えている。第１腕部１３ａと第２腕部１３ｂとは対称形になっている。第１及び第２腕部１３ａ，１３ｂは、保持具１０の長手方向に延びる水平線Ｈに対して、角度θの方向に向けて傾斜して延びている。
【００５６】
第１腕部１３ａの肌面側（図５（ａ）における紙面側）の先端部には、面ファスナのフック部材のような止着手段１５が取り付けられている。一方、第２腕部１３ｂの外面側（図５（ａ）における紙面と反対側）には、止着手段１５の止着が可能な被着手段（図示せず）、例えば面ファスナのループ部材が取り付けられている。
【００５７】
第１及び第２腕部１３ａ，１３ｂは、収容部１２寄りに位置する基部１４ａと先端部寄りに位置する自由端部１４ｂとから構成されている。基部１４ａは、収容部１２から自由端部１４ｂに向けてその幅が漸減している。基部１４ａの幅が変化しなくなった箇所において、基部１４ａと自由端部１４ｂとが連接している。基部１４ａは、腕部１３ａ，１３ｂの延びる方向とそれに直交する方向の双方（図５（ａ）中、矢印で示す方向）に伸縮性を有していることが好ましい。この観点から、基部１４ａは、いわゆるツーウエイの伸縮布地から構成されていることが好ましい。
【００５８】
外面側シート材２１は、風合いの良好な布地から構成されていることが好ましい。また外面側シート材２１は、十分な通気性を有することが好ましい。外面側シート材２１は、例えばトリコット編みの編地から構成することができる。同様に、第１及び第２肌面側シート材２２，２３も、風合いの良好な布地から構成されていることが好ましい。また第１及び第２肌面側シート材２２，２３は十分な水蒸気透過性を有する素材から構成されていることが好ましい。そのような素材としては、例えばメッシュ状の編地が好ましく用いられる。
【００５９】
収容部１２は、３枚のシート材２１，２２，２３を縫製して袋状に形成されている。外面側シート材２１は保持具１０の外面側に位置しており、矩形状をしている。第１肌面側シート材２２及び第２肌面側シート材２３は、保持具１０の肌面側に位置しており、それぞれ矩形状をしている。両肌面側シート材２２，２３の横幅は、外面側シート材２１と同じになっている。両肌面側シート材２２，２３の縦の長さは、外面側シート材２１の縦の長さよりも短くなっている。第１肌面側シート材２２は、その上辺及び両側辺が、外面側シート材２１の上辺及び両側辺と縫合されている。第２肌面側シート材２３は、その下辺及び両側辺が、外面側シート材２１の下辺及び両側辺と縫合されている。第１肌面側シート材２２の下部と、第２肌面側シート材２３の上部とは重ね合わせの状態になっており、且つ第１肌面側シート材２２の下辺２２ａ及び第２肌面側シート材２３の上辺２３ａがそれぞれ自由縁部になっている。これによって収容部１２には、その肌面側に、収容部２の幅方向に延びる蒸気温熱シート１の挿入部２４が形成される。蒸気温熱シート１は、該挿入部２４を通じて収容部１２内に収容される。上述した通り、第１肌面側シート材２２の下部と、第２肌面側シート材２３の上部とは重ね合わせの状態になっているので、収容部１２内に一旦収容された状態の蒸気温熱シート１は収容部１２の外へ飛び出しづらくなり、収容部１２内に安定に保持される。また、挿入部２４の間口が大きく且つ開けやすいので、蒸気温熱シート１の出し入れが容易である。
【００６０】
保持具１０に収容保持された蒸気温熱シート１は、図６（ａ）及び図６（ｂ）に示すように、例えば人体の腰部や腹部に適用される。保持具１０を人体に固定するには、保持具１０を胴部に巻き付け、第１腕部１３ａに取り付けられた止着手段（図示せず）を、第２腕部１３ｂに取り付けられた被着手段（図示せず）へ止着する。この場合には、蒸気温熱シート１は、保持具１０における水蒸気の透過材料である第１肌面側シート材２２及び第２肌面側シート材２３を介して体表へ接触する。このような使用形態の場合には、蒸気温熱シート１における発熱部２と体表との間に介在するシートは、先に述べた透湿性フィルム３ａ及び不織布３ｃ、並びに保持具における第１及び第２肌面側シート材２２，２３である。従って、これらの部材の総厚みを０．０５〜１．５ｍｍとすることが、先に述べた理由により好ましい。総厚みがこの範囲内に入ることを条件として、第１及び第２肌面側シート材２２，２３の厚みは１．４ｍｍ以下であることが好ましい。
【００６１】
蒸気温熱シート１を人体に装着させるための別法として、蒸気温熱シート１を体表へ直接接触させることもできる。その場合には、図７に示すように、蒸気温熱シート１における難透湿性フィルム３ｂの側の表面に粘着剤Ｎを塗布しておき、該蒸気温熱シート１を保持具１０における収容部１２の肌面に粘着させる。つまり、蒸気温熱シート１を収容部１２内に収容させないでおく。そして蒸気温熱シート１が粘着した保持具１０を身体に巻き付け固定する。或いは、保持具１０に粘着させることに代えて、蒸気温熱シート１における粘着剤Ｎを使用者の下着に粘着させてもよい。
【００６２】
粘着剤によって蒸気温熱シートを着用者の肌に直接貼り付けることもできる。その場合には、例えば図８に示す構成の蒸気温熱シート１を用いることができる。同図に示す蒸気温熱シート１は、発熱部２及び該発熱部２を収容する収容体３を備えている。収容体３は扁平であり、閉じた形状の接合部４が形成されるように複数のシート材を貼り合わせ、該接合部４の内部に閉じた空間を形成した袋状のものである。この閉じた空間が発熱部２の収容部５になっている。
【００６３】
図９に示すように、収容体３においては、第１の透湿性シート３ａと第２の透湿性シート３ｂとが接合部４において互いに接合されている。第２の透湿性シート３ｂの外面には風合いの良好なシート材料である不織布３ｃが配されている。第１の透湿シート３ａの外面には、不織布３ｄが配されている。第２の透湿性シート３ｂと不織布３ｃとはほぼ同寸である。第１の透湿シート３ａと不織布３ｄ、第２の透湿性シート３ｂと不織布３ｃは、それらの周縁でのみ接合されていても良いし、シート面内で部分的に接合されていても良い。第１の透湿性シート３ａ及び不織布３ｄは、発熱具１の使用時に、使用者の肌から遠い側に位置する第１の通気層１０ａとして作用するものである。一方、第２の透湿性シート３ｂ及び不織布３ｃは、使用者の肌に近い側に位置する第２の通気層１０ｂとして作用するものである。つまり本実施形態の蒸気温熱シート１は、両面通気性のものであり、第２の透湿性シート３ｂ及び不織布３ｄの側が肌と対向するように使用者の身体に固定される。なお、本実施形態においては、第１の通気層１０ａは第１の透湿性シート３ａ及び不織布３ｄからなり、第２の通気層１０ｂは第２の透湿性シート３ｂ及び不織布３ｃからなるが、第１及び２の通気層１０ａ，１０ｂはそれぞれ透湿性シート３ａ、３ｂのみで構成されていてもよい。
【００６４】
収容体３は、長手方向に延びる側縁Ｓ１及びＳ２を有している。また幅方向に延びる端縁Ｅ１及びＥ２を有している。一方の側縁Ｓ１は、収容体３の縦中心線Ｌに対して外向きの凸状となるような曲線形状をしている。他方の側縁Ｓ２は、縦中心線Ｌに向かう内向きの凸状となるような曲線形状をしている。端縁Ｅ１，Ｅ２はそれぞれ外向きの凸状となるような曲線形状をしている。これら側縁Ｓ１，Ｓ２及び端縁Ｅ１，Ｅ２は滑らかに連接しており、収容体全体としてみると湾曲した長円形となっている。
【００６５】
第１の透湿性シート３ａ及び不織布３ｄは、収容体３の長手方向において、収容部５を囲繞する接合部４から外方に延出しており一対の耳部６，６を形成している。耳部６は、接合部４寄りに位置する基部６ａと、先端寄りに位置し且つ基部６ａと連接する先端部６ｂとから構成されている。
【００６６】
各先端部６ｂにおける第２の透湿性シート側の面上、即ち肌に近い側の面上には、蒸気温熱シート１を使用者の身体に固定するための固定部７が設けられている。固定部７は、発熱材料２の収容部５よりも外方の位置（周縁部）に設けられている。固定部７は２カ所設けられており、各固定部７は、収容体３の縦中心線Ｌ上にそれぞれ設けられている。
【００６７】
固定部７としては、蒸気温熱シート１を使用者の身体に固定可能な様々な手段を用いることができる。典型的には、先端部６ｂに粘着剤を施すことによって固定部７を形成することができる。粘着剤としては、当該技術分野において通常用いられているものと同様のものを用いることができる。例えばゴム系樹脂、アクリル系樹脂、酢酸ビニル系樹脂などを用いることができる。これらの樹脂は非転着性であることが好ましい。
【００６８】
発熱部２の収容部５と固定部７との間の位置、即ち耳部７の基部６ａは伸長可能になっている。基部６ａは、２つの固定部７，７を結ぶ方向、つまり縦中心線Ｌの方向に伸長可能になっている。本実施形態においては、基部６ａに多数のスリット８を形成することによって基部６ａを伸長可能にしてある。基部６ａにおいて、各スリット８は縦中心線Ｌと交差する方向に延びている。これによって、蒸気温熱シート１をその長手方向に引っ張ると、スリット８が開口して基部６ａが伸長する。その結果、蒸気温熱シート１を使用者の身体に取り付けた場合、使用者の動作に基部６ａが追従して伸長し、使用者につっぱり感を与えにくくなる。また固定部７が身体から外れにくくなる。図１８においては、スリット８は縦中心線Ｌと直交する方向に延びているが、スリット８が縦中心線Ｌと交差していれば直交する必要はない。尤も、基部６ａの伸長性を考慮すると、スリット８と縦中心線Ｌとのなす角度は直角に近いほど好ましい。
【実施例】
【００６９】
〔実施例１〕
図３及び図４に示す実施形態の生理機能改善器具（蒸気温熱シート）を、以下の手順で作製した。
【００７０】
＜シート状発熱部の調製＞
原料組成物配合
・繊維状物：パルプ繊維（ＮＢＫＰ、製造者：フレッチャー  チャレンジ  カナダ、商品名「Ｍａｃｋｅｎｚｉｅ」、ＣＳＦ１４０ｍｌ）８重量％
・被酸化性金属：鉄粉（同和鉄粉鉱業（株）製、商品名「ＲＫＨ」）８４重量％
・反応促進剤：活性炭（日本エンバイロケミカル（株）製、商品名「カルボラフィン」）８重量％
前記原料組成物の固形分（繊維状物、被酸化性金属及び反応促進剤の合計）１００重量部に対し、カチオン系凝集剤であるポリアミドエピクロロヒドリン樹脂（星光ＰＭＣ（株）製、商品名「ＷＳ４０２０」）０．７重量部およびアニオン系凝集剤であるカルボキシメチルセルロースナトリウム（第一工業製薬（株）製、商品名「ＨＥ１５００Ｆ」０．１８重量部を添加した。更に、水（工業用水）を、固形分濃度が１２重量％となるまで添加し、スラリーを得た。
【００７１】
＜抄造条件＞
前記スラリーを用い、これを抄紙ヘッドの直前で０．３重量％に水希釈し、傾斜型短網抄紙機によって、ライン速度１５ｍ／分にて抄紙して湿潤状態の成形シートを作製した。
【００７２】
＜乾燥条件＞
成形シートをフェルトで挟持して加圧脱水し、そのまま１４０℃の加熱ロール間に通し、含水率が５重量％以下になるまで乾燥した。乾燥後の坪量は４５０ｇ／ｍ2、厚さは０．４５ｍｍであった。このようにして得られた成形シートの組成を熱重量測定装置（セイコーインスツルメンツ社製、ＴＧ／ＤＴＡ６２００）を用いて測定した結果、鉄８４重量％、活性炭８重量％、パルプ８重量％であった。
【００７３】
＜発熱シートの作製＞
得られた成形シートを８０ｍｍ×１００ｍｍに切り取り、２枚を重ね合わせ、成形シート１００重量部に対し電解液量が５０重量部となるように、下記電解液を注入した。毛管現象を利用して成形シート全体に電解液を浸透させて発熱シート（シート状の発熱部）を得た。
【００７４】
＜電解液＞
電解質：精製塩（ＮａＣｌ）
水：工業用水
電解液濃度：５重量％
【００７５】
＜収容体への収容＞
炭酸カルシウムを含有するポリエチレン製の透湿性フィルム（透湿度８００〜１２００ｇ／（ｍ2・２４ｈｒ）、通気度１００００±２０００ｓ／１００ｃｍ3）、線状低密度ポリエチレン製の難透湿性フィルム及びエアスルー不織布を用いて図３及び図４に示す袋状の収容体を作製した。この中に２枚重ねにした発熱シートを収容して、図３及び図４に示す蒸気温熱シートを得た。水蒸気放出面積は０．０１６ｍ2であった。
【００７６】
〔比較例１〕
収容体として、炭酸カルシウムを含有するポリエチレン製の透湿性フィルム（透湿度８００〜１２００ｇ／（ｍ2・２４ｈｒ）、通気度１００００±２０００ｓ／１００ｃｍ3）を２枚重ねたものと、線状低密度ポリエチレン製の難透湿性フィルム及びエアスルー不織布を重ねたものの四辺を接合して袋状の収容体を作製した。収容体内には、実施例で用いた発熱シート（２枚重ね）と同様のものを収容した。このようにして乾熱タイプの発熱シートを得た。
【００７７】
実施例１で得られた蒸気温熱シートを被験者（３０歳代の男性）の左腰部に５時間適用した。また比較例１で得られた乾熱タイプの発熱シートを同被験者の右腰部に５時間適用した。実施例１で得られた蒸気温熱シートについては、透湿性フィルムの側が、皮膚に対向するように適用した。比較例１で得られた乾熱タイプの発熱シートについては、難透湿性フィルム及びエアスルー不織布の側が、皮膚に対向するように適用した。適用環境温度は２０±１℃とした。この間における被験者の角層水分量、シートと皮膚表面との間の湿度、及び皮膚表面温度を以下の方法で測定した。
【００７８】
その結果、実施例１で得られた蒸気温熱シートについては、適用して約１５−２０分後に蒸気温熱シートと皮膚表面間の湿度は８０％ＲＨとなり、この値が５時間継続した。また、角層の水分量は、適用前が約０．１６−０．１７ｇ／ｃｍ3であったが、適用から３０分後に０．２５ｇ／ｃｍ3以上となり、以後５時間まで０．２６−０．３２ｇ／ｃｍ3の値を示した。適用部の皮膚表面温度は、適用から３０分後より５時間まで、３８−３９℃であった。
【００７９】
一方、比較例１で得られた乾熱タイプの発熱シートについては、適用して約１５−２０分後に発熱シートと皮膚表面間の湿度は４０％ＲＨとなり、この値が５時間継続した。また、角層の水分量は、適用前が約０．１６−０．１７ｇ／ｃｍ3であったが、適用から１０分後に約０．２０ｇ／ｃｍ3となり、以後５時間まで０．２０−０．２４ｇ／ｃｍ3の値を示した。適用部の皮膚表面温度は、適用から３０分後より５時間まで、３８−３９℃であり、実施例１と同程度の温度であった。
【００８０】
測定結果のグラフを図１０ないし図１２に示す。
【００８１】
＜角層の水分量の測定＞
皮膚の角層部分（深さ約２０μｍ）の水分含有量をＴＤＲ法で測定した。本測定方法は、「A method of measuring surface permittivity by microwave dielectric analysis」 S.Natio and M.Hoshi;Rev.Sci.Instrum.Vol.67,No.10,3633-3641(1996) によるものである。測定環境は、室内温度２０℃、湿度４０％ＲＨとした。各測定時間（適用５分後、１０分後、３０分後、６０分後、１２０分後、１８０分後、２４０分後、３００分後）の測定２０分前に、被験者を上述の環境に調整された環境室に入室させた。角層の水分量測定の際には、被験者の皮膚からシートを剥がし、測定プローブを皮膚表面に当てて素早く操作を行った。測定位置はシート中心部から上方に１０ｍｍ離れた位置及び下方に１０ｍｍ離れた位置とした。各位置において７回の測定を行った。得られた１４点の測定結果の平均値を求め、これを角層の水分量とした。測定後には、直ちにシートを皮膚に当接させた。
【００８２】
＜シートと皮膚表面との間の湿度の測定＞
湿度センサー（Thermo Recorder TR-72U、温湿度センサTR-3110、Ｔ＆Ｄ社製）をシート適用中心部の皮膚表面にテープで固定した後、シートを皮膚に適用し、適用５時間までの湿度を測定した。
【００８３】
＜皮膚表面温度の測定＞
温度センサー（データ収集型ハンディタイプ温度計ＬＴ−８、皮膚温用センサＬＴ−ＳＴ０８−１２、グラム社製）を、シート適用中心部の皮膚表面にテープで固定した後、シートを皮膚に適用し、適用５時間までの温度を測定した。
【００８４】
〔比較例２〕
サロンシップ温熱用具直貼（商品名、久光製薬社製）を被験者の左腰部に５時間適用した。適用環境温度は２０±１℃とした。角層の水分量は、適用前が約０．１６−０．１７ｇ／ｃｍ3であったが、適用３０分後に約０．２３ｇ／ｃｍ3となり、以後５時間まで０．２０−０．２５ｇ／ｃｍ3の値を示した。適用部の皮膚表面温度は、適用から３０分後より５時間まで、４０−４２℃であった。角層の水分量及び皮膚表面温度のグラフを図１３（ａ）及び（ｂ）に示す。
【００８５】
〔比較例３〕
サロンシップ温熱用具直貼（商品名、久光製薬社製）を被験者の左腰部に５時間適用した。但し、通常使用では皮膚非対向面となる側が皮膚に対向するように適用した。つまり、通常使用とは表裏を反対にして適用した。適用環境温度は２０±１℃とした。角層の水分量は、適用前が約０．１６−０．１７ｇ／ｃｍ3であったが、適用３０分後に約０．２０ｇ／ｃｍ3となり、以後５時間まで０．１６−０．２４ｇ／ｃｍ3の値を示した。適用部の皮膚表面温度は、適用から３０分後より５時間まで、３４−３８℃であった。角層の水分量及び皮膚表面温度のグラフを図１３（ａ）及び（ｂ）に示す。
【００８６】
〔比較例４〕
ThermaCare Therapeutic Heat Wraps腰用（商品名、Ｐ＆Ｇ社製）を被験者の左腰部に５時間適用した。適用環境温度は２０±１℃とした。角層の水分量は、適用前が約０．１５−０．１６ｇ／ｃｍ3であったが、適用３０分後に約０．１９ｇ／ｃｍ3となり、以後５時間まで０．１６−０．２９ｇ／ｃｍ3の値を示した。適用部の皮膚表面温度は、適用から３０分後より５時間まで、３７−４１℃であった。角層の水分量及び皮膚表面温度のグラフを図１４（ａ）及び（ｂ）に示す。
【００８７】
〔比較例５〕
ThermaCare Therapeutic Heat Wraps腰用（商品名、Ｐ＆Ｇ社製）を被験者の左腰部に５時間適用した。但し、通常使用では皮膚非対向面となる側が皮膚に対向するように適用した。つまり、通常使用とは表裏を反対にして適用した。適用環境温度は２０±１℃とした。皮膚角層の水分量は、適用前が約０．１４−０．１５ｇ／ｃｍ3であったが、適用３０分後に約０．１９ｇ／ｃｍ3となり、以後５時間まで０．１９−０．２６ｇ／ｃｍ3の値を示した。適用部の皮膚表面温度は、適用から３０分後より５時間まで、３５−４０℃であった。角層の水分量及び皮膚表面温度のグラフを図１４（ａ）及び（ｂ）に示す。
【００８８】
〔実施例２〕
図８及び図９に示す実施形態の生理機能改善器具（蒸気温熱シート）を、以下の手順で作製した。
【００８９】
＜発熱シートの調製＞
実施例１と同様にして製造した成形シートを５４ｍｍ×１００ｍｍに切り取り、３枚を重ね合わせ、成形シート１００重量部に対し電解液量が４５重量部となるように、実施例１と同様の電解液を注入した。毛管現象を利用して成形シート全体に電解液を浸透させて発熱シート（シート状の発熱部）を得た。
【００９０】
＜収容体への収容＞
図８及び図９に示す透湿性シート３ａ，３ｂとして、ポリエチレン製の多孔質透湿性フィルムを用いた。透湿性シート３ａの透湿度は１５０ｇ／（ｍ2・２４ｈｒ）であった。透湿性シート３ｂの透湿度は３００ｇ／（ｍ2・２４ｈｒ）であった。第１の透湿性シート３ａの外面には、坪量４０ｇ／ｍ2のナイロン系不織布３ｄをラミネートした。第２の透湿性シート３ｂの外面にも、坪量４０ｇ／ｍ2のナイロン系不織布３ｃを配した。この収容体の中に発熱シートを収容した。
【００９１】
得られた蒸気温熱シートについて、実施例１と同様にして被験者の角層水分量、シートと皮膚表面との間の湿度、及び皮膚表面温度を測定した。その結果、適用して約１５−２０分後に蒸気温熱シートと皮膚表面間の湿度は８０％ＲＨとなり、この値が５時間継続した。また、角層の水分量は、適用前が約０．１６〜０．１７ｇ／ｃｍ3であったが、適用から３０分後に０．２５ｇ／ｃｍ3以上となり、以後５時間まで０．２６〜０．３２ｇ／ｃｍ3の値を示した。適用部の皮膚表面温度は、適用から３０分後より５時間まで、３８〜３９℃であった。
【００９２】
更に、得られた蒸気温熱シートについて、生理痛の緩和効果を次の手順で評価した。
【００９３】
（１）評価１
女子大学生（平均年齢２０．２才）を被験者として、生理開始直後の腹痛及び腰痛の程度を、０：痛み無し、１：やや痛い、２：痛い、３：非常に痛いの４段階の中から選択させるアンケートを行った。スコア０の被験者を除外し、スコア１〜３の被験者に対して、アンケート後ただちに蒸気温熱シートを直接肌に適用させた。このとき、腹部に適用させる群（Ｎ＝１２、以下腹部群という）と、腰部に適用させる群（Ｎ＝１５、以下腰部群という）とに分けた。８時間連続して蒸気温熱シートを適用させた後に、腹部群については、腹痛の程度を前記の４段階の中から選択させた。腰部群については、腰痛の程度を前記の４段階の中から選択させた。その結果を、図１５に示す。
【００９４】
図１５から明らかなように、腹部群及び腰部群の何れにおいても、痛みの緩和の改善が見られた者が、改善の見られない者を大きく上回ることが判る。
【００９５】
（２）評価２
評価１の被験者を二つの群に分けた。第１の群（Ｎ＝６）では、生理開始日の前日に、蒸気温熱シートを直接腹部の肌に８時間連続して適用させた。翌日、生理開始直後に、腹痛の程度を、評価（１）と同様に４段階のスコアの中から選択させるアンケートを行った。アンケート後ただちに蒸気温熱シートを直接腹部の肌に８時間連続して適用させた。８時間経過後に、腹痛の程度を前記の４段階の中から再び選択させるアンケートを行った。
【００９６】
第２の群（Ｎ＝６）では、生理開始日の前日には蒸気温熱シートを腹部に適用させなかった。これ以外は第１の群と同様にして、生理開始直後及び蒸気温熱シートを腹部に８時間適用後、前記のアンケートを行った。その結果を図１６に示す。
【００９７】
図１６に示す結果から明らかなように、生理開始日の前日から蒸気温熱シートを適用すると、生理開始後の蒸気温熱シートを適用した場合に比較して、痛みの緩和の改善の程度が大きくなることが判る。この結果から、生理開始前の少なくとも前日から蒸気温熱シートを適用することで、生理開始日以降の生理痛が効果的に緩和されると言うことができる。
【図面の簡単な説明】
【００９８】
【図１】図１（ａ）は湿熱の熱伝導のモデル図であり、図１（ｂ）は乾熱の熱伝導のモデル図である。
【図２】図２は、熱伝導率を測定するためのモデル測定系を示す模式図である。
【図３】図３は、本発明の生理機能改善器具の一実施形態としての蒸気温熱シートを示す斜視図である。
【図４】図４は、図３におけるIII−III線断面図である。
【図５】図５（ａ）は、図２に示す蒸気温熱シートを収容保持する保持具を示す平面図であり、図５（ｂ）は図５（ａ）におけるｂ−ｂ線断面図である。
【図６】図６（ａ）は、図２に示す蒸気温熱シートを腰部に適用した状態を示す図であり、図６（ｂ）は腹部に適用した状態を示す図である。
【図７】図７は、本発明の生理機能改善器具の他の実施形態を示す断面図（図４相当図）である。
【図８】図８は、本発明の生理機能改善器具の他の実施形態を示す平面図である。
【図９】図９は、図８におけるII−II線断面図である。
【図１０】図１０は、実施例１及び比較例１における角層の水分量を示すグラフである。
【図１１】図１１は、実施例１及び比較例１における湿度を示すグラフである。
【図１２】図１２は、実施例１及び比較例１における皮膚表面温度を示すグラフである。
【図１３】図１３（ａ）は比較例２及び３における角層の水分量を示すグラフであり、図１３（ｂ）は比較例２及び３における皮膚表面温度を示すグラフである。
【図１４】図１４（ａ）は比較例４及び５における角層の水分量を示すグラフであり、図１４（ｂ）は比較例４及び５における皮膚表面温度を示すグラフである。
【図１５】図１５は、本発明の生理機能改善器具による生理痛の緩和の効果を示すグラフである。
【図１６】図１６は、本発明の生理機能改善器具による生理痛の緩和の効果を示すグラフである。
【符号の説明】
【００９９】
１  蒸気温熱シート（生理機能改善器具）
２  発熱部
３  収容体
１０  保持具
【図１】
0004822944.tif 000002
【図２】
0004822944.tif 000003
【図３】
0004822944.tif 000004
【図４】
0004822944.tif 000005
【図５】
0004822944.tif 000006
【図６】
0004822944.tif 000007
【図７】
0004822944.tif 000008
【図８】
0004822944.tif 000009
【図９】
0004822944.tif 000010
【図１０】
0004822944.tif 000011
【図１１】
0004822944.tif 000012
【図１２】
0004822944.tif 000013
【図１３】
0004822944.tif 000014
【図１４】
0004822944.tif 000015
【図１５】
0004822944.tif 000016
【図１６】
0004822944.tif 000017